(57)【特許請求の範囲】
【請求項１】
端子であって、
本体であって、該本体は、第１の材料で形成され、前記本体は、長手方向の挿入軸線を有し、かつ前記端子の端部に沿った接続部と、該接続部から離れる方向に延在するワイヤ固定部とを有し、前記接続部は、可撓性の接触ビームを有し、前記ワイヤ固定部は、ウィング部を有する、本体と、
フードであって、該フードは、第２の材料で形成され、前記フードは、前記本体に操作可能に固定され、前記フードは、嵌合端部及び前記フードから延在する係止アームを有し、該係止アームは、第１の点から片持ち支持され、かつリブに隣接して位置付けられ、前記係止アームは、ストッパーを有し、該ストッパーは、湾曲した端部を有し、前記リブは、前方部分及び後方部分を有し、前記前方部分は、前記フードの前記嵌合端部から離間され、前記前方部分及び前記後方部分は、テーパ部を有する、フードと、を備え、
前記係止アームは、水平部分及び傾斜部分を有する主要ビームを含み、前記水平部分及び前記傾斜部分は、前記第１の点で接続され、前記係止アームは、支持ビームを含み、該支持ビームは、前記第１の点から延在し、前記主要ビームの前記傾斜部分に対して積層されている、端子。
【請求項２】
前記支持ビームは、前記主要ビームの前記傾斜部分から折り返されている、請求項１に記載の端子。
【請求項３】
前記主要ビームの前記傾斜部分と前記支持ビームとは、対面接触している、請求項２に記載の端子。
【請求項４】
前記ストッパーは、前記主要ビームの端部に形成されている、請求項２に記載の端子。
【請求項５】
前記ストッパーの端縁面は、前記支持ビームに対して向けられている、請求項３に記載の端子。
【請求項６】
前記フードは、前記本体にクリンチされている、請求項１に記載の端子。
【請求項７】
端子であって、
本体であって、該本体は、接触部及び取付端部を含む接続端部を有し、前記取付端部は、リードワイヤを固定するように構成されている、本体と、
フードであって、該フードは、前記本体に装着され、前記フードは、嵌合端部を有し、前記フードは、リブを更に含み、該リブは、前記嵌合端部から離間された第１の端部と、第２の端部とを有し、前記第１及び第２の端部は、テーパ部を有し、前記フードは、係止アームを更に含み、該係止アームは、前記リブの隣に位置付けられ、前記係止アームは、丸みを帯びた端部を有するストッパーを含む、フードと、を備え、
前記係止アームは、主要ビーム及び支持ビームを含み、前記主要ビームは、傾斜部分及び水平部分を含み、該水平部分及び前記傾斜部分は、第１の点で接続され、前記支持ビームは、前記第１の点から延在し、前記主要ビームの前記傾斜部分に対して積層されている、端子。
【請求項８】
前記本体は、第１の材料から形成され、前記フードは、第２の材料から形成されている、請求項７に記載の端子。
【請求項９】
前記第２の材料の引張強度は、前記第１の材料の引張強度よりも高い、請求項８に記載の端子。
【請求項１０】
前記支持ビームは、前記主要ビームの前記傾斜部分から縁部に沿って折り返されている、請求項７に記載の端子。
【請求項１１】
コネクタであって、該コネクタは、
ハウジングであって、該ハウジングは、絶縁性材料から形成され、前記ハウジングは、空洞を含み、該空洞は、ショルダーを含み、前記ハウジングは、ポケットを更に含む、ハウジングと、
端子であって、該端子は、本体及びフードを有し、該フードは、該フードの側部に沿って延在するリブを含み、該リブは、テーパ状端部を有し、前記フードは、係止ビームを更に含み、該係止ビームは、第１の点から延在する片持ち部分を有し、前記係止ビームは、主要ビーム及び支持ビームを更に含み、前記主要ビームは、傾斜部分及び水平部分を含み、該水平部分及び前記傾斜部分は、前記第１の点で接続され、前記支持ビームは、前記第１の点から延在し、前記主要ビームの前記傾斜部分に対して積層され、湾曲した端部を有するストッパーが前記主要ビームの端部に形成されている、端子と、
封止機構であって、該封止機構は、前記ポケット内に位置付けられ、前記封止機構は、穴を含み、該穴は、前記空洞と位置合わせされている、封止機構と、を備え、
前記端子を前記ハウジングに挿入し、かつ前記ハウジングから取り出す際、前記リブの前記テーパ状端部及び前記ストッパーの前記湾曲した端部が前記封止機構に形成された前記穴に滑らかに係合する、コネクタ。
【請求項１２】
前記フードは、嵌合端部を含み、前記リブは、前記嵌合端部から離間されている、請求項１１に記載のコネクタ。
【発明の詳細な説明】
【技術分野】
【０００１】
関連出願
本出願は、２０１５年７月２３日に出願された米国特許仮出願第６２／１９６，０４８号に対する優先権を主張し、同出願は、その全体が参照により本明細書に組み込まれている。
【０００２】
本開示は、電気端子金具の分野に関する。
【背景技術】
【０００３】
本開示は、概して、電気端子金具に関し、より具体的には、車両において使用可能なコネクタシステムのための雌型電気端子接触部に関する。一般に、このタイプのコネクタは、接合点配電ブロック、電力制御モジュール及び他のボディ制御システムを含む車両システムにおける使用に適している。これらのシステムは典型的に、ワイヤハーネスを用いて、車両全体において様々なボディと制御システムとを接続する。
【発明の概要】
【課題を解決するための手段】
【０００４】
プラグコネクタ及びレセプタクルコネクタを含むコネクタシステムを提供する。コネクタシステムは典型的に、プリント基板に連結される複数の導電端子を含むプラグコネクタアセンブリ又はヘッダアセンブリと、ワイヤハーネスに連結された対応する数の相手電気端子を含むレセプタクルコネクタアセンブリと、を含む。代替的な構造では、プラグ及びレセプタクルシステムはどちらも、ワイヤハーネスのそれぞれの端部に連結されていてもよい。これらの構造は、典型的には、電線対基板接続システム及び電線対電線接続システムとして既知である。
【０００５】
これらのコネクタシステムは、いずれもプリント基板上に取り付けられるか又はプラグ若しくは第１の絶縁ハウジングに保持される複数の雄型電気端子又はピンを有する、ヘッダ又はプラグコネクタを含む。レセプタクルコネクタは、第１のプラグコネクタハウジングと協働的に嵌合するための複数の雌型端子を保持するために複数のポケット又は空洞を有する、成型された外装ハウジングを含む。それぞれのコネクタアセンブリは各々、端子から延在する係止又は保持アームを有する電気端子金具と、保持アームを係合して対応する電気端子をハウジングに完全に保持及び係止する一体成型構造を有する、空洞を含む絶縁ハウジングとを含む。
【０００６】
端子の小型化及び性能の向上に対する需要の増加に伴い、一実施形態における雌型電気端子は、接触又は電気部片と、補強部片又は支持部片と、の２つの別個の部品から構成される。高導電性金属からなる接触部片によって、より優れた電気的性能が可能になり、高強度材料からなる支持部片によって、より優れた保持力及び接触ビーム補強が可能になる。
【０００７】
一定の条件において、環境への曝露は不可避であり、構造体は、湿気及びくずから電気的接続を封止する必要がある。これらの状況においては、協働する電気コネクタ間に耐湿性バリアを提供することを含む、封止されたシステムが求められる。一般に、封止態様は、コネクタの嵌合接点間に配設され、追加的に、コネクタのそれぞれのワイヤ端部又はハーネス端部に配設される。一定の状況において、コネクタの端子は、修理又は交換する必要があってもよく、それには、コネクタから端子リードを取り外すことが含まれる。これらの場合は、修理中に封止機構を損傷させることのない、コネクタから取り外し可能な端子が認識され得る。
【０００８】
本開示は、一例として例示され、添付図面に限定されるものではなく、図面中、同様の参照番号は、類似の要素を示す。
【図面の簡単な説明】
【０００９】
【図１】端子の斜視図である。
【図２】図１の端子の分解図である。
【図３】図１の端子の代替的な分解図である。
【図４】図１の端子の本体の斜視図である。
【図５】図４の本体の代替的な斜視図である。
【図６】図１の端子のフードの斜視図である。
【図７】図６のフードの代替的な斜視図である。
【図８】図１の端子の接触部の断面図である。
【図９】図６のフードの代替的な斜視図である。
【図１０】端子を有するコネクタ及びハウジングの一部分の分解図である。
【図１１】図１０のコネクタの代替的な斜視図である。
【図１２】ハウジングが部分的に分解された、図１０のコネクタの斜視図である。
【図１３】図１２のコネクタの代替的な斜視図である。
【図１４】コネクタの部分分解図である。
【図１５】ハウジングの一部分に挿入中の端子の詳細図である。
【図１６】ハウジングの一部分に挿入中の端子の別の詳細図である。
【図１７】端子の一部分がハウジングに挿入された、コネクタの断面図である。
【図１８】図１７のコネクタの代替的な斜視図である。
【図１９】端子が完全に装着された、コネクタの部分断面図である。
【図２０】図１９のコネクタの代替的な斜視図である。
【図２１】端子が完全に装着された、コネクタの断面図である。
【図２２】ハウジングの嵌合部分が取り除かれた、コネクタの部分断面図である。
【図２３】コネクタの斜視図である。
【図２４】封止機構及び封止カバーが適所にある、端子の詳細斜視図である。
【発明を実施するための形態】
【００１０】
本開示の実施形態は、添付図面により例示される。また、開示された実施形態は、本開示の例にすぎず、様々な形態で具現化され得ることが理解されるであろう。したがって、本明細書で開示される特定の詳細は、限定的なものとして解釈されるべきではなく、単に、「特許請求の範囲」の根拠として、また、本開示の様々な利用を当業者に教示するための代表的な根拠として、解釈されるであろう。
【００１１】
図示される実施形態において、図面は、コネクタの単一の回路を表している。コネクタアセンブリの各要素の図は、コネクタアセンブリ全体のうちの単一の切片又は一部である。複数の回路コネクタについては、以下の図面では単一の回路を表しており、コネクタアセンブリ内で互いに同一である。
【００１２】
実施形態では、図面に示されるように、以下の記述は、ワイヤハーネス上に配設されたコネクタ１０に関し、コネクタ１０に関する参照もすべて記述どおりである。ワイヤハーネスの第１の端部は、絶縁性材料から形成されたハウジングアセンブリ１２０を有するコネクタ１０を含み、電子装置（図示せず）の対応するコネクタ又はレセプタクルと嵌合するための終端であるリードアセンブリ１１０を含む。ハウジングアセンブリ１２０及び終端であるリードアセンブリは、長手方向軸線Ａに沿って延在する。
【００１３】
ハウジングアセンブリ１２０は、電気端子金具１００を保持及び固定するための成型ハウジング１３０を含む。端子金具１００は、雄型のピン若しくはブレード又は対応する雄型のピン若しくはブレードを受容するための雌型レセプタクル金具のいずれか一方として構成されてもよい。図１〜図５に示すように、雌型端子金具１００が例示されている。端子金具１００は、導体を固定するように構成されたワイヤ固定部８０及び相手端子金具への電気的接続を提供するための接続部７０を有する第１の部片又は本体部片６０と、本体６０の接続部７０を包囲し、更に接続部７０を保持及び補強する第２の部片又はフード部片２０と、の２つの部片から構成される。各部片は、別個に形成され、別個のアセンブリ又は結合ダイ（marriage die）によって共に固定される。フード２０は典型的に、本体６０と位置合わせされ、次いで本体６０にクランプ又はクリンチされる。
【００１４】
図４及び図５に示すように、本体６０は、略正方形状に形成された接続部７０を有し、第１の端部から延在する一対の接触部分６２と、ワイヤ固定部８０を含む第２の端部において延在するワイヤ固定部８０と、を含む。ワイヤ固定部８０は、リードワイヤの裸線部分に接続するためのワイヤクリンプ領域８２と、リードワイヤ９０の絶縁部分に接続するための絶縁クリンプ部８４と、を含む。図６及び図７に示されるフード２０は、別個の金属片から形成され、フード２０の側面から延在するリブ５０を含む略長方形状を有する。係止アーム３２は、フード２０から延在し、リブ５０に隣接して位置付けられる。図８〜図１１に示すように、端子金具１００は、後述するように、ハウジング１３０に形成された対応する空洞内に適切に装着させることができる断面プロファイルを有する。
【００１５】
図４及び図５に更に示されるように、本体６０は、第１の端部に位置付けられた接続部７０と、本体６０の第２の端部に位置付けられたワイヤ固定部８０と、を含む。本体６０は、銅若しくは任意の他の銅基合金などの導電性材料又は導電性能を有する類似の材料の単一片から型抜きされ、形成される。主本体部分の後端部又は第１の端部には、接続部又は終端部が形成される。接続部７０は、略箱形状であり、長手方向軸線Ａに沿って延在する一対の可撓性のバネフィンガ６２を含む。バネフィンガ６２は、互いに対して概ね対向しており、それらの間に画定される空間を含む。６４は、相手コネクタのピン（図示せず）に係合するように構成された各バネフィンガ６２の端部に形成される。一連の穿孔６５は、本体６０の側面に沿って形成され、本体６０から外方に延在している。
【００１６】
ワイヤ固定部８０は、本体６０の第２の端部に形成され、電気リードワイヤを受容し、固定するように構成されている。ワイヤ固定部８０は、接続部７０に隣接して配設された第１の一対のウィング部８２と、第１の一対のウィング部８２に隣接して位置付けられ、かつ接続部７０から離れて位置付けられた第２の一対のウィング部８４と、を有する「Ｕ」字型チャネルを含む。導体９０の端部は、導体を露出させるために取り除かれた絶縁材の一部分を有しており、それにより、裸導体が第１の一対のウィング部８２内に配置され、剥離されていないワイヤの一部分が第２の一対のウィング部８４において受容される。第１の一対のウィング部８２がリードワイヤ９０の裸線部分にクリンプし、第２の一対のウィング部がリードワイヤ９０の絶縁部分にクリンプして、リードワイヤ９０が端子金具１００に電気的かつ機械的に固定される。
【００１７】
図６及び図７に最もよく示されるように、フード２０は、１枚の板金から形成されており、示される実施形態では、材料は、ステンレス鋼である。場合によっては、鋼は、銅又は銅基合金に更なる利点をもたらす。鋼は典型的に、より高い引張強度特性を発揮し、バネ又は付勢の用途において使用される状況を選択することがより好ましい。フード２０は、正方形の形状になるように、かつ前方嵌合端部３０及び後方端部４０を有する本体６０と類似のプロファイルを有するように構成される。嵌合端部３０は、雄型端子を受容するための開口部３１を含み、後方端部４０は、長手方向軸線Ａに沿って本体６０を受容するように構成された開口部４１を有する。
【００１８】
フード２０は、フード２０の上面から、フード５０の側面に沿って、フード２０の全長に実質的に沿って延在する位置合わせリブ５０を更に含む。示される実施形態において、リブ５０は、フード５０の側面と面一になっている、すなわち、リブ５０及びフード２０の側面は、同一平面上に位置する。面取り又はテーパ面５２は、フード２０の嵌合端部３０及び後方端部４０に隣接するリブ５０の端部に形成されており、それにより平滑な移動がもたらされ、また、位置合わせリブ５０の上縁部における鋭利な角がすべて排除される。嵌合端部３０に隣接する５０のテーパ状端部５２は、嵌合端部３０から長手方向軸線Ａに沿って後方に離間されている。リブ５０及びフード２０の開口部３０、４０を形成する材料の縁部は、鋭利な縁部又はバリをすべて同様に排除する形成プロセス中にコイニングされる。
【００１９】
図１〜図３及び図８に示すように端子金具を組み立てるために、本体６０は、フード２０の後方開口部４０内に挿入され、一対の片持ちバネフィンガ６２が後方開口部４０を通ってフード２０内に延在する。なお、本体をフード２０に挿入するためにはクリアランスが必要であるため、フード２０は、完全には形成されていないことに留意されたい。本体６０の接続部７０は、フード２０内に形成された突起２１に当接する。突起２１は、フード２０の内部空間へと延在し、本体６０のフード２０への順方向挿入を制限するストッパーとして機能する。図８に更に示されるように、フード２０はまた、本体６０の接続部７０のバネフィンガ６２に対して更なるサポートをもたらす。前述のとおり、接続部７０は、本体２０から互いに向かって延在し、相手電気端子のピン又はブレードに接触するためのディンプル６４を有する部分を含む、一対の片持ちバネフィンガ６２を含む。
【００２０】
フード２０上に形成された補助的な補剛ビーム２６は、片持ちバネフィンガ６２に係合し、バネフィンガ６２に対して更なるサポート及び更なる剛性をもたらす。雄型端子の挿入中、補助的な補剛ビーム２６は、バネフィンガ６２に対して更なる耐性をもたらして、相手電気端子の電気的係合中に法線力を増大させ、それにより、接続の電気的性能を向上させる。示される実施形態において、フード２０は、相手端子金具との直接的な電気的接触をもたらすことはないが、バネフィンガ６２の電気的特性を改善又は向上させるより優れた機械的特性を発揮する。
【００２１】
フード２０に本体６０を更に位置決めさせるために、複数の突起６５が本体６０から外方に延在する。突起６５は、フード２０の側面に形成された対応する穴２５に受容されるように構成され、かつ本体６０及びフード２０を共に適切に位置決めし、保持する。フード２０は、本体６０の周りに実質的に圧着又はクリンチされ、フード２０の上壁に形成されたタブは、側壁に形成されたスロット内に延在し、フードを閉じたままにして、跳ね返りを防止する。
【００２２】
図６〜図９に最もよく示されるように、係止アーム３２は、フード２０の上壁に形成される。係止アーム３２は、端子金具１００の接続部７０からワイヤ固定部８０の方向に延在する片持ちビームとして形成される。係止アーム３２は、フード２０の上壁から形成され、フード２０から離れるように勾配が付けられている。示される実施形態において、係止アーム３２の断面は、係止アーム３２の端部に沿った折り返し壁部を含み、折り返し壁部は、二重壁ビームを形成し、当該ビームは、主要ビーム３６及び支持ビーム３８を含む。更に、主要ビーム３６及び支持ビーム３８は、互いに対面接触している。係止アーム３２は、水平部分３３及び傾斜部分３３’の２つの部分を一般的に含む。例えば、曲げに対する耐性を向上させる、「Ｌ」字型の断面又は任意の断面などの他のビームの断面も認められ得る。いずれの場合も、折り返された断面によりビームに対して剛性が付与されて、荷重下において座屈することが防止される。ストッパー３７は、係止アーム３２の自由端に形成され、フードから上方に突出し、滑らかな湾曲した折り返し部分を含む。ストッパー３７のエッジ面３９は、エッジ３９が露出しないように、支持ビーム３８に向かって戻る方向に向けられている。ストッパー３７は、端子金具１００をコネクタハウジング１３０内に挿入する際にハウジング１３０の協働する表面に係合する、係止アーム３２の表面を形成する。
【００２３】
フード２０の嵌合端部３０は、協働するコネクタの対応する雄型ピン（図示せず）をその内部に受容するための開口部３１を含む。開口部３１は、一対の対向する側壁を有し、対向する側壁はそれぞれ、互いから開口部３１を挟んで位置付けられた隆起突出部３３を有する。嵌合する際、雄型端子又はピンが嵌合開口部３１内に入ると、突出部３３により雄型端子又はピンが適切に位置合わせされる。側壁は、対応する上壁及び底壁によって互いに接続される。上壁及び底壁は、接続部７０の片持ちバネフィンガ６２の前かつ側壁の突出部３３の後ろ又は後方に直接位置付けられた第２の一対の対向する突出部３５を含む。上壁及び底壁に形成された第２の一対の突出部３５はまた、雄型端子がバネフィンガ６２の先端部に接触しないように、かつ嵌合中に雄型端子が適切に位置決めされて端子金具１００のバネフィンガ６２の接触ディンプル６４に係合するように、抗スタブ機能を提供する。
【００２４】
コネクタアセンブリ１０は、ハウジング１３０、独立した二次係止部、ＩＳＬ１４０、封止機構１５０及び封止カバー１６０を有するコネクタ本体１２０を含む。ＩＳＬ１４０は、ハウジング１３０に形成されたスロットに配設され、封止機構は、封止カバー１６０が封止機構１５０をハウジング１３０に固定した状態でハウジング１３０の後方部分のポケットに位置している。示される実施形態において、端子アセンブリ１１０は、コネクタハウジング１３０に形成された空洞内に挿入される。図１０〜図１３に最もよく示されるように、空洞は、端子金具１００の外被形状に対応する形状で形成される。封止カバー１６０、ハウジング１３０及びＩＳＬ１４０も同様にこの形状に形成される。封止機構１５０に形成される穴１５２は、円形状であり、リードワイヤの外径よりも小さい直径を有する。封止機構１５０の穴１５２は、封止機構１５０とリードワイヤ９０の絶縁部分との間に弾性の接点をもたらすリップ又はブラダーを含んでおり、それにより耐湿性／防くずバリアがもたらされる。
【００２５】
組み立ての間、端子リードアセンブリ１１０は、ハウジングアセンブリ１２０の後方部分から挿入され、フード２０に形成された位置合わせリブ５０が封止カバー１６０の空洞部分に形成された対応するガイドウェイに挿入される。図１４〜図２０で最もよく示されるように、端子リードアセンブリ１１０を、フード２０の嵌合端部４０がハウジング１３０内に形成された空洞の前方部分の内側表面に当接するまで、空洞を通って前進させる。この操作の間、図１８に最もよく示されるように、端子金具１００が空洞に形成された保持ショルダー１３２を通過すると、フード２０に形成された係止アーム３２は、内側に撓められる。一旦係止アーム３２がショルダー１３２を通過すると、係止アーム３２が跳ね戻り、保持ビームに形成されたストッパー３７がショルダー１３２と係合して、端子金具１００を空洞内に固定し、端子リードアセンブリ１１０をコネクタハウジングアセンブリ１２０内に固定する。
【００２６】
ハウジング１３０内に完全に挿入された後、端子金具１００のフード２０に形成されたストッパー３７は、空洞に形成されたショルダー又は凹部１３２に当接し、端子リードアセンブリ１１０は、ハウジングからの引き抜きに対して抵抗する。ストッパー３７の丸みを帯びた端部により、端子の空洞内に形成されたショルダー１３２の補完表面に係合する平滑な表面領域が与えられるため、ストッパー３７の平滑部分領域は、端子リードアセンブリ１１０に抜去力が付与された際に係止アーム３２が空洞内に入り込むことを防止し、メンテナンス中に端子の空洞に永久的な損傷が与えられることを防止し、極度の引き抜き力又は抜去力の下であっても、端子金具１００を空洞内に固定する。更に、位置合わせリブ５０は、ワイヤなどが通常の取り扱い時に係止アーム３２に絡まる又は引っかかることがないように、また、組み立て前に係止アーム３２を損傷させないように、保護手段を提供する。
【００２７】
端子リードアセンブリ１１０を空洞内に更に固定するために、端子金具１００が完全に挿入されると、ＩＳＬ１４０は、二次ショルダー１４２がフード４２の後方端部の後ろに移動するように、横方向にずらされる。二次ショルダー１４２は、図２１及び図２２に最もよく示されるように、端子金具１００の後方への移動を防止する。ＩＳＬ１４０は最初、端子金具がＩＳＬ１４０の本体を通過することができる自由位置に位置付けられている。ＩＳＬ１４０は、戻り止めによって第１の位置に保持されており、力を加えない限り移動しない。一旦端子金具１００がＩＳＬ１４０を通過すると、ＩＳＬ１４０は、自由位置から、端子金具１００を空洞内に係止する係止位置へと横方向に移動する。ＩＳＬ１４０は、類似の戻り止めによって係止位置に保持されており、力を加えない限り移動しない。
【００２８】
一旦端子金具１００が空洞内に完全に挿入され、ＩＳＬ１４０によって係止されると、ハウジング内に保持された端子金具１００に対して、試験によって端子の存在を確認することができる。これは、ハウジング１３０の嵌合表面又は前方表面に形成された検出孔１３９（図２３に図示）を通して試験プローブを挿入することにより達成される。プローブを検出孔１３９内に挿入して、プローブを端子リードアセンブリ１１０のフード２０に形成された位置合わせリブ５０に電気的に接続することによって、端子の導通を確認することができる。
【００２９】
一定の状況において、コネクタアセンブリ１０の端子金具１００には欠陥がある場合があるか、又はコネクタアセンブリ１０は、修理される必要がある。これらの場合、端子リードアセンブリ１１０をコネクタハウジング１３０から取り外す必要がある。端子金具１００を取り外すために、ＩＳＬ１４０は、端子金具１００がＩＳＬ１４０を通って取り出し可能となるように、自由位置に戻される必要がある。これに加えて、係止アーム３２は、ハウジング１３０のショルダー１３２から離れる方向に撓められ、係合が解除される必要がある。これは、端子取り外しツール（図示せず）をハウジング１３０の前方に形成された修理用開口部１３７に挿入し、当該ツールを挿入して係止アーム３２を撓めることによって達成される。一旦係止アーム３２がショルダー１３２から自由になると、端子金具１００をコネクタハウジング１３０の空洞から取り出すことができる。
【００３０】
一定の状況において、端子金具１００を取り外すプロセスは、コネクタアセンブリ１０の特定の部品、すなわち封止機構１５０を意図せず損傷させる場合がある。封止機構１５０が適合性のある弾性材料からなるという点では、封止機構１５０は破断又は裂断しやすい場合がある。この場合、封止機構と接触する可能性のある、破断又は裂断を生じさせ得る鋭利な縁部をすべて取り除く必要がある。図２４に最もよく示されるように、位置合わせリブ５０は、テーパ状端部５２を有しており、テーパ状端部５２は、端子がその一体性を保つように封止機構１５０の内側リップ又はグランドを損傷させて取り外されるように、取り出す際に、封止機構の内径１５２をリブから離れる方向に容易に圧縮することができる。更に、係止アーム３２に形成されたストッパー３７は、丸みを帯びた端部を有しており、これにより当該領域が封止機構１５０の穴１５２を通って戻る際の破断もまた防止される。封止機構１５０は、その後、修理済みの端子リードアセンブリ１１０の再挿入時に再利用されてもよい。位置合わせリブ５０の前方端部及びフード２０の嵌合端部７０にも同様のテーパ形状が形成され、端子金具１００の挿入時に封止機構を損傷させることを防止する。
【００３１】
一般に、プラグコネクタ及びレセプタクルレセプタがある特定の特徴を有するように記載してきたが、コネクタが図においてプラグ型であるか又はレセプタクル型であるかの描写は、単に例示の目的のためになされることに留意されるべきである。したがって、特定のコネクタは、所望のとおり、プラグ型又はレセプタクル型、あるいはプラグ及びレセプタクルの組み合わせとして構成され得ることが想定される。そのため、別途示されない限り、接触部がレセプタクルであるか又はプラグであるかどうかの決定は制限されることを意図しない。また、上、底、前方、後方などの方向は任意であり、示される実施形態のより明確な理解をもたらすために使用されることに留意されるべきである。
【００３２】
当業者には容易に明らかであろう上述の例示した実施形態の数多くの修正例、例えば、本明細書において個別に開示又は特許請求された、本明細書で開示される特徴の組み合わせを含むか、かかる特徴の追加的な組み合わせを明示的に含むか、又は代替として他の種類の接触アレイコネクタを含む、圧縮コネクタアセンブリ及び／又はその構成要素の多くの変形例及び修正例が存在することが理解されるであろう。また、材料及び構成における多くの可能な変形例が存在する。
【図１】
0006527633.tif 000002
【図２】
0006527633.tif 000003
【図３】
0006527633.tif 000004
【図４】
0006527633.tif 000005
【図５】
0006527633.tif 000006
【図６】
0006527633.tif 000007
【図７】
0006527633.tif 000008
【図８】
0006527633.tif 000009
【図９】
0006527633.tif 000010
【図１０】
0006527633.tif 000011
【図１１】
0006527633.tif 000012
【図１２】
0006527633.tif 000013
【図１３】
0006527633.tif 000014
【図１４】
0006527633.tif 000015
【図１５】
0006527633.tif 000016
【図１６】
0006527633.tif 000017
【図１７】
0006527633.tif 000018
【図１８】
0006527633.tif 000019
【図１９】
0006527633.tif 000020
【図２０】
0006527633.tif 000021
【図２１】
0006527633.tif 000022
【図２２】
0006527633.tif 000023
【図２３】
0006527633.tif 000024
【図２４】
0006527633.tif 000025